(57)【特許請求の範囲】
【請求項１】
産品を収容する箱であって、
（ａ）ベースであって、
（ｉ）平行四辺形を形成するようにともに結合された一連の側面部と、
（ｉｉ）前記側面部に結合された底面端部と、
（ｉｉｉ）前記一連の側面部の各側面部において、離隔した横部に配置された面ベントの対と、
（ｉｖ）前記側面部の第１の対向する対の側面部の各々の上面および底面スコアの各々の中央に配置された主スコアベントの対と、
（ｖ）前記側面部の第２の対向する対の側面部のそれぞれの上面および底面スコアにそれぞれ配置された２対の離隔された副スコアベントと
を有するベースと、
（ｂ）蓋であって、
（ｉ）平行四辺形を形成するようにともに結合された一連の側面部と、
（ｉｉ）前記側面部に結合された上面端部と、
（ｉｉｉ）前記一連の側面部の各側面部において、離隔した横部に配置された面ベントの対と、
（ｉｖ）前記側面部の第１の対向する対の側面部の各々の上面および底面スコアの各々の中央に配置された主スコアベントの対と、
（ｖ）前記側面部の第２の対向する対の側面部のそれぞれの上面および底面スコアにそれぞれ配置された２対の離隔された副スコアベントと
を有する蓋と、
を備え、
前記ベースの面ベントの対は、空気がそこを通過して流れるように、前記蓋の面ベントの対応する前記対と少なくとも部分的にオーバーラップし、
前記ベースの主スコアベントの対は、空気がそこを通過して流れるように、前記蓋の主スコアベントと少なくとも部分的にオーバーラップし、
前記ベースの前記副スコアベントの対は、空気がそこを通過して流れるように、前記蓋の前記副スコアベントの対応する対と少なくとも部分的にオーバーラップし、
前記ベースおよび前記蓋の前記面ベントの対は、前記上面および底面スコアの間の中央部に配置され、
前記ベースおよび前記蓋の前記面ベントは、前記箱のコーナーに近接配置されている、
ことを特徴とする産品を収容する箱。
【請求項２】
前記ベースの前記側面部の前記第１の対向する対は、前記ベースの前記側面部の前記第２の対向する対よりも長く、
前記蓋の前記側面部の前記第１の対向する対は、前記蓋の前記側面部の前記第２の対向する対よりも長い、
ことを特徴とする請求項１に記載の箱。
【請求項３】
前記面ベントの対の各々は、前記ベースの前記側面部のうちの対向する側面部に配置され、前記面ベントの対の各々は、前記蓋の前記側面部のうちの対向する側面部に配置される、ことを特徴とする請求項１または２に記載の箱。
【請求項４】
前記ベースの前記底面端部は、前記側面部のそれぞれの底面スコアから伸長しかつそれに結合されるオーバーラップフラップによって画定される、ことを特徴とする請求項１から３のいずれか一項に記載の箱。
【請求項５】
前記ベースの前記底面スコア内に配置された前記主スコアベントは、それに結合される前記オーバーラップフラップによって少なくとも部分的に画定される、ことを特徴とする請求項４に記載の箱。
【請求項６】
前記ベースの前記底面スコア内に配置された前記主スコアベントは、２つの半円部内にそれぞれ形成され、前記半円部の第１部分は前記側面部の各々の上に配置され、前記半円部の第２部分は前記オーバーラップフラップの各々の上に配置される、ことを特徴とする請求項５に記載の箱。
【請求項７】
前記ベースの前記底面スコア内に配置された前記主スコアベントの各々に対して、前記第２部分は前記第１部分より大きい、ことを特徴とする請求項６に記載の箱。
【請求項８】
前記ベースの前記底面スコア内に配置された前記主スコアベントの各々に対して、前記第２部分は、略Ｕ字形状を有する、ことを特徴とする請求項６または７に記載の箱。
【請求項９】
前記ベースの底面スコアに配置された副スコアベントの対は、それに結合される前記オーバーラップフラップによって少なくとも部分的に画定されている、ことを特徴とする請求項４から８のいずれか一項に記載の箱。
【請求項１０】
前記副スコアベントの対の各々の副スコアベントは、２つの半円部内に形成されており、前記半円部の第１部分は前記側面部の各々の上に配置されており、前記半円部の第２部分は前記オーバーラップフラップの各々の上に配置されている、ことを特徴とする請求項９に記載の箱。
【請求項１１】
前記ベースの前記底面スコア内に配置された前記副スコアベントの各々に対して、前記第２部分は前記第１部分より大きい、ことを特徴とする請求項１０に記載の箱。
【請求項１２】
前記ベースの前記底面スコア内に配置された前記副スコアベントの各々に対して、前記第２部分は略Ｕ字形状を有する、ことを特徴とする請求項１０または１１に記載の箱。
【請求項１３】
前記蓋の上面端部は前記側面部の各々の上面スコアから伸長し、かつ、そこに結合されるオーバーラップフラップによって画定される、ことを特徴とする請求項１から１２のいずれか一項に記載の箱。
【請求項１４】
前記蓋の上面スコア内に配置された前記主スコアベントは、それに結合される前記オーバーラップフラップによって少なくとも部分的に画定される、ことを特徴とする請求項１３に記載の箱。
【請求項１５】
前記蓋の上面スコア内に配置された前記主スコアベントは、２つの半円部内にそれぞれ形成され、前記半円部の第１部分は前記側面部の各々の上に配置されており、前記半円部の第２部分は前記フラップの各々の上に配置されている、ことを特徴とする請求項１４に記載の箱。
【請求項１６】
前記蓋の上面スコア内に配置された前記主スコアベントの各々に対して、前記第２部分は前記第１部分より大きい、ことを特徴とする請求項１５に記載の箱。
【請求項１７】
前記蓋の前記上面スコア内に配置された前記主スコアベントの各々に対して、前記第２部分は略Ｕ字形状を有する、ことを特徴とする請求項１５または１６に記載の箱。
【請求項１８】
前記蓋の前記上面スコア内に配置された前記副スコアベントの対は、そこに結合される前記オーバーラップフラップによって少なくとも部分的に画定されている、ことを特徴とする請求項１３から１７のいずれか一項に記載の箱。
【請求項１９】
前記副スコアベントの対の各々の副スコアベントは、２つの半円部内にそれぞれ形成され、前記半円部の第１部分は前記側面部の各々の上に配置されており、前記半円部の第２部分は前記フラップの各々の上に配置されている、ことを特徴とする請求項１８に記載の箱。
【請求項２０】
前記蓋の前記上面スコア内に配置された前記副スコアベントの各々に対して、前記第２部分は前記第１部分より大きい、ことを特徴とする請求項１９に記載の箱。
【請求項２１】
前記蓋の前記上面スコア内に配置された前記副スコアベントの各々に対して、前記第２部分は略Ｕ字形状を有する、ことを特徴とする請求項１９または２０に記載の箱。
【請求項２２】
前記ベースの前記一連の側面部は、４つの側面部および結合フラップを有し、前記結合フラップは、前記一連の側面部の第１側面部と第４側面部との間で結合されている、ことを特徴とする請求項１から２１のいずれか一項に記載の箱。
【請求項２３】
前記蓋の前記一連の側面部は、４つの側面部および結合フラップを有し、前記結合フラップは、前記一連の側面部の第１側面部と第４側面部との間で結合されている、ことを特徴とする請求項１から２２のいずれか一項に記載の箱。
【請求項２４】
前記面ベント、前記主スコアベント、および、前記副スコアベントは、パレット内で隣接する箱の対応するベントと相互接続し、パレット層を通じて水平方向に空気が流れる、ことを特徴とする請求項１から２３のいずれか一項に記載の箱。
【請求項２５】
前記蓋および前記ベースの前記上面および底面スコア内の前記主および前記副スコアベントは、積載された箱のカラムを通じて空気が自由に流れるチャネルを与え、冷却速度を向上させる、ことを特徴とする請求項１に記載の箱。
【請求項２６】
前記主スコアベントは、パレットに収容された箱の間で、前記パレットの最上層を通じて暖かい空気が排出され、前記パレットの最下層を通じて冷たい空気が進入するように、垂直方向の空気の流れをもたらす、ことを特徴とする請求項１から２５のいずれか一項に記載の箱。
【請求項２７】
産品を収容する箱のベースであって、
（ａ）平行四辺形を形成するようにともに結合された一連の側面部と、
（ｂ）前記側面部に結合された底面端部と、
（ｃ）前記一連の側面部の各側面部において、離隔した横部に配置された面ベントの対と、
（ｄ）前記側面部の第１の対向する対の側面部の各々の上面および底面スコアの各々の中央に配置された主スコアベントの対と、
（ｅ）前記側面部の第２の対向する対の各々の側面部の上面および底面スコア上にそれぞれ離隔して配置された副スコアベントの２つの対と、
を備え、
前記ベースの前記副スコアベントの対は、隣り合う箱との間を空気が通過して流れるように、前記隣り合う箱のベースの副スコアベントの対応する対と少なくとも部分的にオーバーラップし、
前記ベースの前記面ベントの対は、前記上面および底面スコアの間の中央に配置されており、
前記ベースの前記面ベントは、前記箱のコーナーに近接配置されている、ことを特徴とする産品を収容する箱のベース。
【請求項２８】
前記ベースの前記側面部の前記第１の対向する対は、前記ベースの前記側面部の前記第２の対向する対よりも長い、ことを特徴とする請求項２７に記載のベース。
【請求項２９】
前記面ベントの対の各々の面ベントは、前記ベースの側面部のうち対向する側面部にそれぞれ配置されている、ことを特徴とする請求項２７または２８に記載のベース。
【請求項３０】
前記ベースの前記底面端部は、前記側面部のそれぞれの底面スコアから伸長し、かつ、それに結合されたオーバーフラップによって画定される、ことを特徴とする請求項２７から２９のいずれか一項に記載のベース。
【請求項３１】
前記ベースの前記底面スコア内に配置された前記主スコアベントは、そこに結合された前記オーバーラップフラップによって少なくとも部分的に画定される、ことを特徴とする請求項３０に記載のベース。
【請求項３２】
前記ベースの前記底面スコア内に配置された前記主スコアベントは２つの半円部内にそれぞれ形成されており、前記半円部の第１部分は、前記側面部の各々の上に配置されており、前記半円部の第２部分は前記フラップの各々の上に配置されている、ことを特徴とする請求項３１に記載のベース。
【請求項３３】
前記ベースの前記底面スコア内に配置された前記主スコアベントの各々に対して、前記第２部分は前記第１部分より大きい、ことを特徴とする請求項３２に記載のベース。
【請求項３４】
前記ベースの前記底面スコア内に配置された前記主スコアベントの各々に対して、前記第２部分は略Ｕ字形状を有する、ことを特徴とする請求項３２または３３に記載のベース。
【請求項３５】
前記ベースの前記底面スコア内に配置された前記副スコアベントの前記対は、それに結合された前記オーバーラップフラップによって少なくとも部分的に画定される、ことを特徴とする請求項３０から３４のいずれか一項に記載のベース。
【請求項３６】
前記副スコアベントの対の各々の副スコアベントは２つの半円部内にそれぞれ形成されており、前記半円部の第１部分は前記側面部の各々の上に配置されており、前記半円部の第２部分は前記フラップの各々の上に配置されている、ことを特徴とする請求項３５に記載のベース。
【請求項３７】
前記ベースの底面スコア内に配置された前記副スコアベントの各々に対して、前記第２部分は前記第１部分より大きい、ことを特徴とする請求項３６に記載のベース。
【請求項３８】
前記ベースの前記底面スコア内に配置された前記副スコアベントの各々に対して、前記第２部分は略Ｕ字形状を有する、ことを特徴とする請求項３６または３７に記載のベース。
【請求項３９】
前記ベースの前記一連の側面部は４つの側面部および結合フラップを有し、前記結合フラップは、前記一連の側面部のうちの第１側面部と第４側面部との間で結合されている、ことを特徴とする請求項２７から３８のいずれか一項に記載のベース。
【請求項４０】
請求項１から２６のいずれか一項に記載された箱の前記ベース用のブランク。
【請求項４１】
請求項１から２６のいずれか一項に記載された箱の前記蓋用のブランク。
【発明の詳細な説明】
【技術分野】
【０００１】
本願発明は産品箱に関する。
【背景技術】
【０００２】
果物などの産品は、収穫後に供給ルートを通じて収穫した産品の品質を維持するために典型的に冷却される。低い製品温度を維持することにより、産品の劣化が減少する。これは、典型的に産品の移送に長時間必要な場合にそうである。
【０００３】
収穫後の最初の数時間は、産品温度を下げることに関して特に重要である。産品が高い呼吸数を有する場合に特にそうである。これにより劣化を大幅に低減させることができる。呼吸とは、植物が酸素を吸入し、二酸化炭素を排出するプロセスである。多くの製造業者は、できるだけ高い品質で産品を維持するために厳しい収穫後管理を実施している。そのひとつの技術は、収穫後の予備冷却である。予備冷却は、一般に加圧空気または静的空気冷却技術を使って冷却室内で実行される。
【０００４】
加圧空気予備冷却は、独立コンテナまたはパレットコンテナのパッケージ上またはそれを通じて空気を通過させることにより、産品温度を低下させる。典型的な加圧空気予備冷却プロセスにおいて、以下のステップが実行される。
ａ．２列のパレットが分離部によって離隔されて配置される。
ｂ．ヘビーデューティー防水シートが分離部の正面の上および下にまたいで引かれる。
ｃ．分離部の反対側端部にあるファンが、冷却室からパレットコンテナを通じて、分離部の下に向かって、空気を吸引し、冷却室の外部に放出する。
【０００５】
静的冷却は、カートン内のパレット産品を冷却室内に直接配置することにより実行される。冷却室内の自然な空気の流れおよびカートンを通じた伝熱に任せて、温度を低下させる。静的空気冷却は加圧空気冷却に比べ有意に遅い。
【０００６】
冷却作用および冷却時間に影響を及ぼす要因を理解しようとして多くの研究がなされた。研究は、冷却作用および冷却時間を改善させる見地で、以下の領域において実行されてきた。
ａ．果物および野菜などの産品の熱伝達特性、
ｂ．空気流量および体積
ｃ．換気パターン
【０００７】
コンテナのデザインは、両方のタイプの冷却法に対して産品の冷却速度に有意な影響を及ぼす。しかし、ボックス型のベントデザインおよび積載強度の最適化は、これまで体系的に調査されてこなかった。むしろ、従来技術において産品箱は以下のように構成されるべきであると考えられてきた。
ａ．６％から８％の開口ベント面積、および
ｂ．各コーナーから離れて配置された適当な分布のベント
【０００８】
図１から３ｃは、このようなデザインを有する箱１の例を示す。これらは、共通して、箱のコーナー付近に配置されたベントが積載強度を大きく減少させると考えられたためである。
【０００９】
新鮮な産品を移送するために、市場で入手可能な箱デザインが多く存在する。アプリケーションの要求に応じて、ベントがあるもの無いものがある。ベント付きの箱は、概して、複数のベントを含む結果として強度の損失を補償するために過度に設計されている。ベントは伝統的に、これが最適な構成であると考えられてきたので、デザイナーによって箱製造業者とは無関係に同じ位置に配置されてきた。
【００１０】
ベント付き産品箱のベントの伝統的な位置は以下を含む。
ａ．箱上の切り込み線（半分は上面、半分は側面および同様に底面／側面）
ｂ．コーナーから短い距離
ｃ．側面の中心に関して対称に離隔
【００１１】
これらのデザインは数十年にわたってほとんど変更されてこなかった。
【００１２】
箱は産品の熱伝達および冷却の基本原理を理解することに集中することによって設計されてきた。いくつかの研究グループは、さまざまな実験用器具を開発することで、熱伝達を理解しようとした。しかし、この器具はより効果的な箱を設計するのに使用されなかった。箱デザインをさらに進歩させるための主なハードルは、デザインが変更されたときに冷却情報が不足することである。したがって、デザインは保守的になり、冷却性能の手段として直感に任せて使用されている。
【発明の概要】
【発明が解決しようとする課題】
【００１３】
概して、積載強度に大きな影響を及ぼすことなく最適な換気システムを有する箱用のデザインを見つけることが所望される。
【００１４】
概して、上述した一つ以上の問題を克服または緩和すること、または少なくとも有用な代替物を与えることが所望される。
【課題を解決するための手段】
【００１５】
本願発明に従い、産品を収納するための箱が与えられる。当該箱は、
（ａ）ベースであって、
（ｉ）平行四辺形を形成するようにともに結合された一連の側面部と、
（ｉｉ）側面部に結合された底面端部と、
（ｉｉｉ）側面部のそれぞれの、離隔した横部に配置された面ベントの対と、
（ｉｖ）側面部の第１の対向する対の側面部の各々の上面および底面スコアの各々の中央に配置された主スコアベントの対と、
を有するベースと、
（ｂ）蓋であって、
（ｉ）平行四辺形を形成するようにともに結合された一連の側面部と、
（ｉｉ）側面部に結合された上面端部と、
（ｉｉｉ）側面部のそれぞれの、離隔した横部に配置された面ベントの対と、
（ｉｖ）側面部の第１の対向する対の側面部の各々の上面および底面スコアの各々の中央に配置された主スコアベントの対と、
を有する蓋と、
を有し、
ベースの面ベントの対は、空気がそこを通過して流れるように、蓋の面ベントの対応する対と少なくとも部分的にオーバーラップし、
ベースの主スコアベントの対は、空気がそこを通過して流れるように、蓋の主スコアベントと少なくとも部分的にオーバーラップする、
ことを特徴とする。
【００１６】
好適には、ベースは、側面部の第２の対向する対の側面部のそれぞれの上面および底面スコアにそれぞれ配置された２対の離隔された副スコアベントを有し、蓋は、側面部の第２の対向する対の側面部のそれぞれの上面および底面スコアにそれぞれ配置された２対の離隔された副スコアベントを有する。
【００１７】
好適には、ベースの副スコアベントの対は、空気がそこを通過して流れるように、蓋の副スコアベントの対応する対と少なくとも部分的にオーバーラップする。
【００１８】
本願発明に従い、産品を収容する箱のベースが与えられる。当該ベースは、
（ａ）平行四辺形を形成するようにともに結合された一連の側面部と、
（ｂ）側面部に結合された底面端部と、
（ｃ）側面部のそれぞれの、離隔した横部に配置された面ベントの対と、
（ｄ）側面部の第１の対向する対の側面部の各々の上面および底面スコアの各々の中央に配置された主スコアベントの対と、
を有する。
【００１９】
好適には、当該ベースは、側面部の第２の対向する対の各々の側面部の上面および底面上にそれぞれ離隔して配置された副スコアベントの２つの対を含む。
【００２０】
本願発明に従い、上述した箱のベース用のブランクが与えられる。
【００２１】
本願発明に従い、上述した箱の蓋用のブランクが与えられる。
【００２２】
本願発明の好適実施形態が、非限定的な例示として、以下の図面を参照して説明される。
【図面の簡単な説明】
【００２３】
【図１】図１は、従来の箱の分解図である。
【図２Ａ】図２Ａは、図１に示す箱の蓋用のブランクの平面図である。
【図２Ｂ】図２Ｂは、図１に示す箱の蓋の底面図である。
【図２Ｃ】図２Ｃは、図１に示す箱の蓋の平面図である。
【図３Ａ】図３Ａは、図１に示す箱のベース用のブランクの平面図である。
【図３Ｂ】図３Ｂは、図１に示す箱のベースの底面図である。
【図３Ｃ】図３Ｃは、図１に示す箱のベースの平面図である。
【図４Ａ】図４Ａは、産品を収納するための箱の斜視図である。
【図４Ｂ】図４Ｂは、図４Ａに示す箱の分解図である。
【図５Ａ】図５Ａは、図４Ａに示す箱の蓋の底面斜視図である。
【図５Ｂ】図５Ｂは、図４Ａに示す箱の蓋の平面斜視図である。
【図５Ｃ】図５Ｃは、図５Ａに示す箱の蓋の底面図である。
【図５Ｄ】図５Ｄは、図５Ａに示す箱の蓋の平面図である。
【図５Ｅ】図５Ｅは、図５Ａに示す箱の蓋の側面図である。
【図５Ｆ】図５Ｆは、図５Ａに示す箱の蓋の端面図である。
【図５Ｇ】図５Ｇは、図５Ａに示す箱の蓋用のブランクの平面図である。
【図５Ｈ】図５Ｈは、図５Ａに示す箱の蓋用のブランクの平面図である。
【図６Ａ】図６Ａは、図４Ａに示す箱のベースの平面斜視図である。
【図６Ｂ】図６Ｂは、図６Ａに示す箱のベース用のブランクの平面図である。
【図６Ｃ】図６Ｃは、図６Ａに示す箱のベースの平面図である。
【図６Ｄ】図６Ｄは、図６Ａに示す箱のベースの底面図である。
【図６Ｅ】図６Ｅは、図６Ａに示す箱のベースの側面図である。
【図６Ｆ】図６Ｆは、図６Ａに示す箱のベースの端面図である。
【図６Ｇ】図６Ｇは、図６Ａに示す箱のベース用のブランクの平面図である。
【発明を実施するための形態】
【００２４】
図４Ａから図６Ｇに示す産品箱１０は、果物および／または野菜などの産品を収納するのに使用される。箱１０は、産品の急速冷却が箱１０の積載強度の損失を最小化しつつ達成されるように設計され、かつ、最適化されている。
【００２５】
図６Ａから図６Ｇに特に示すように、ベース１２を有する箱１０は、
（ａ）平行四辺形を形成するようにともに結合された、一連の側面部１４ａ、１４ｂ、１４ｃ、１４ｄと、
（ｂ）側面部１４ａ、１４ｂ、１４ｃ、１４ｄに結合された底面端部１６と、
（ｃ）側面部１４ａ、１４ｂ、１４ｃ、１４ｄのそれぞれの離隔された横部２６ａ、２６ｂに配置された一対の面ベント２４ａ、２４ｂと、
（ｄ）側面部の第１の対向する対１４ａ、１４ｃの各側面部の上面および底面スコア３０ａ、３０ｂ上の中央に配置された一対の主スコアベント２８ａ、２８ｂと
を有する。
【００２６】
特に図５Ａから５Ｇに示すように、箱１０は蓋１８を有する。当該蓋は、
（ａ）平行四辺形を形成するようにともに結合された一連の側面部２０ａ、２０ｂ、２０ｃ、２０ｄと、
（ｂ）側面部２０ａ、２０ｂ、２０ｃ、２０ｄに結合された上面端部２２と、
（ｃ）側面部２０ａ、２０ｂ、２０ｃ、２０ｄのそれぞれの離隔された横部３５ａ、３５ｂに配置された一対の面ベント３２ａ、３２ｂと、
（ｄ）側面部の第１の対向する対２０ａ、２０ｃの各側面部の上面および底面スコア３６ａ、３６ｂ上の中央に配置された一対の主スコアベント３４ａ、３４ｂと
を有する。
【００２７】
ベース１２の一対の面ベント２４ａ、２４ｂは、空気がそれを通じて流れるように、蓋１８の面ベント３２ａ、２３ｂの対応する対を少なくとも部分的にオーバーラップする。また、ベース１２の主スコアベント２８ａ、２８ｃの一対は、空気がそこを流れるように、蓋１８の主スコアベント３４ａ、３４ｂと少なくとも部分的にオーバーラップする。
【００２８】
ベース１２
ベース１２は、第２の対向する一対の側面部１４ｂ、１４ｄのそれぞれの側面部の上面および底面スコア３０ａ、３０ｂにそれぞれ配置された２対の離隔した副スコアベント４２ａ、４２ｂを有する。また、蓋１８は、第２の対向する対の側面部１４ｂ、１４ｄのそれぞれの側面部の上面および底面スコア４４ａ、４４ｂにそれぞれ配置された２対の離隔した副スコアベント４６ａ、４６ｂを有する。
【００２９】
図示した例において、ベース１２の第１の対向する対の側面部１４ａ、１４ｂは、ベース１２の第２の対向する対の側面部１４ｂ、１４ｄより長い。同様に、蓋１８の第１の対向する対の側面部２０ａ、２０ｃは、蓋１８の第２の対向する対の側面部２０ｂ、２０ｄより長い。代替的に、箱は、他の適当な寸法を有してもよい。
【００３０】
ベース１２の一対の副スコアベント４２ａ、４２ｂは、箱が組み立てられたときに空気がそこを流れるように、蓋１８の対応する一対の副スコアベント４６ａ、４６ｂと少なくとも部分的にオーバーラップする。
【００３１】
面ベント対のひとつの面ベント２４ａ、２４ｂは、ベース１２のそれぞれの側面部の対向する側面部２６ａ、２６ｂに配置される。同様に、面ベント対のひとつの面ベント３２ａ、３２ｂは、蓋１８のそれぞれの側面部の対向する側面部３５ａ、３５ｂに配置される。ベース１２の面ベント２４ａ、２４ｂおよび蓋１８の面ベント３２ａ、３２ｂは、すべて箱１０のコーナーに近接配置されている。また、ベース１２の面ベント２４ａ、２４ｂの対は、上面および底面スコア３０ａ、３０ｂの間の中央に配置され、蓋１０の面ベント３２ａ、３２ｂの対は、上面および底面スコア３６ａ、３６ｂの間の中央に配置される。
【００３２】
図６Ｃおよび６Ｄに特に示すように、ベース１２の底面端部１６は、それぞれの側面部の底面スコア３０ｂから伸長しかつそれに結合するオーバーラップフラップ４８ａ、４８ｂ、４８ｃ、４８ｄによって画定される。
【００３３】
図６Ｂおよび６Ｇに特に示すように、ベース１２の底面スコア３０ｂに配置される主スコアベント２８ｂは、それに結合したオーバーラップフラップ４８ａ、４８ｃによって少なくとも部分的に画定される。これらの主スコアベント２８ｂは２つの半円部５０ａ、５０ｂにそれぞれ形成されている。第１部分５０ａは側面部１４ａ、１４ｂのひとつの上に配置されており、第２部分５０ｂはフラップ４８ａ、４８ｂの対応するひとつの上に配置されている。これらの主スコアベント２８ｂの各々に対して、第２部分５０ｂは第１部分５０ａよりも大きい。主スコアベント２８ｂの各々に対して、第２部５０ｂは略“Ｕ字”形状を有する。
【００３４】
図６Ｂおよび６Ｇにも示すように、ベース１２の底面スコア３０ｂに配置される副スコアベント４２ｂの対は、それに結合されるオーバーラップフラップ４８ｂ、４８ｄによって少なくとも部分的に画定される。第１部分５２ａは側面部１４ｂ、１４ｃのそれぞれの上に配置されており、第２部分５２ｂはフラップ４８ｂ、４８ｄのそれぞれに配置されている。副スコアベント４２ｂの各々に対して、第２部分５２ｂは、第１部分５２ａよりも大きい。副スコアベント４２ｂの各々に対して、第２部分５２ｂは略“Ｕ字”形状を有する。
【００３５】
主スコアベント２８ａ、２８ｂは、副スコアベント４２ａ、４２ｂより大きい。
【００３６】
蓋１８
蓋１８の上面端部２２は、それぞれの側面部２０ａ、２０ｂ、２０ｃ、２０ｄの上面スコア３６ａから伸長しかつそれに結合するオーバーラップフラップ５４ａ、５４ｂ、５４ｃ、５４ｄによって画定される。蓋１８の上面スコア３６ａに配置された主スコアベント３４ａは、それに結合されるオーバーラップフラップ５４ａ、５４ｃによって少なくとも部分的に画定される。これらの主スコアベント３４ａはそれぞれ、２つの半円部分５６ａ、５６ｂに形成されている。第１部分５６ａは、側面部２０ａ、２０ｃのそれぞれに配置されており、第２部分５６ｂはフラップ５４ａ、５４ｂのそれぞれに配置されている。主スコアベント３４ａの各々に対して、第２部分５６ｂは第１部分５６ａより大きい。また、蓋１８の上面スコア３６ａに配置された主スコアベント３４ａの各々に対して、第２部分は略“Ｕ字”形状を有する。
【００３７】
図５Ｇおよび５Ｈに特に示すように、蓋１８の上面スコア３６ａに配置された副スコアベント４６ａの対は、そこに結合されるオーバーラップフラップ５４ｂ、５４ｄによって少なくとも部分的に画定される。副スコアベント４６ａの対の各副スコアベントは、２つの半円部５８ａ、５８ｂに形成されている。第１部５８ａは側面部２０ｂ、２０ｄのそれぞれに配置されており、第２部５８ｂはフラップ５４ｂ、５４ｄのそれぞれに配置されている。副スコアベント４６ａの各々に対して、第２部分５８ｂは第１部分５８ａよりも大きい。また、第２部分は略“Ｕ字”形状を有する。
【００３８】
主スコアベント３４ａ、３４ｂは、副スコアベント４６ａ、４６ｂよりも大きい。
【００３９】
ベース１２の一連の側面部１４ａ、１４ｂ、１４ｃ、１４ｄは、４つの側面部および結合フラップ３８を好適に有する。この結合フラップは、一連の側面部のうちの第１側面部１４ａと第４側面部１４ｄとの間に、接着剤などの結合部材によって結合されている。同様に、蓋１８の一連の側面部は、４つの側面部および結合フラップ４０を好適に有する。この結合フラップ４０は、一連の側面部のうちの第１側面部２２ａと第４側面部２２ｄとの間に、接着剤などの結合部材によって結合されている。
【００４０】
ベース１２の面ベント２４ａ、２４ｂは好適には、円形状を有する。一方、蓋１８の面ベント３２ａ、３２ｂは好適に長円または楕円形状を有する。結果として、箱１０に産品が過剰に収納されると、蓋１８およびベース１２の一部が垂直方向に分離することとなるが、蓋１８およびベース１２の対応する面ベント１８はオーバーラップしたままである。
【００４１】
面ベント２４ａ、２４ｂ、３２ａ、３２ｂ、主スコアベント２８ａ、２８ｂ、３４ａ、３４ｂ、および、箱１０の副スコアベント４２ａ、４２ｂ、４６ａ、４６ｂは、箱１０のパレットを通じて空気が垂直方向および水平方向に流れるようにし、パレット内の隣接する箱の対応するベントと相互接続する。箱１０は、長い端部と当接して、および／または、短い端部と当接して、パレット内に配置される。これらの構成のいずれかにおいて、箱の面ベント２４ａ、２４ｂ、３２ａ、３２ｂは相互接続される。箱１０はまた短い端部および長い端部と当接してパレット内に配置されてもよい。この構成において、２つの当接する箱の少なくともひとつの面ベント２４ａ、２４ｂ、３２ａ、３２ｂが相互接続する。
【００４２】
蓋１８およびベース１２の主スコアベント２８ａ、２８ｂ、３４ａ、３４ｂおよび副スコアベント４２ａ、４２ｂ、４６ａ、４６ｂの対は、静的冷却アプリケーション用に最適化される。この場合、自然対流が冷却を与える。蓋１８およびベース１２の主および副スコアベント２８ａ、２８ｂ、３４ａ、３４ｂ、４２ａ、４２ｂ、４６ａ、４６ｂは、積載された箱のカラムを通じて空気が自由に流れ、冷却速度を増加させることができるチャネルを与える。主スコアベント２８ａ、２８ｂ、３４ａ、３４ｂは、パレットの箱の間に垂直方向の空気の流れをもたらし、暖かい空気がパレットの上部層を通じて排出され、冷たい空気がパレットの底部層から進入することを許す。
【００４３】
異なる換気パターンによって実験が為された。プロセスは、より強度の高いグレードの紙を使用せずに最小の積載強度損失を与えるパターンを探るべく繰り返された。図１から３Ｃに示す箱に対する、箱１０の比較データが以下の表１に示されている。
【００４４】
ある箱デザインはパレットに収容されたとき空気の流れを改善するためにインターロック式ベントを有する。箱１０のインターロック式ベントは、パレットに収容されたときに冷却機能の低下を防止する。
【００４５】
蓋１８はベース１２よりもわずかに広くかつ長い。したがって、ベース１２は蓋１８の内部にスライドして組み立てられる。
【００４６】
ベントは、交差気流用に、および、加圧気流冷却アプリケーションでの高速冷却用に最適化された。冷却は一つの箱１０に対する実験を通じて最適化された。このベントパターンは、面ベントを箱のコーナーに近接配置させることによって（通常の箱デザインではやらない）、また、箱の長い側面の上面および底面スコアの中央にひとつの大きなベントを有することで、箱１０の積載強度に対するインパクトを小さくする。
【００４７】
箱１０の側面、上面および底面上のベントのサイズおよび数は、箱のベント開口面積のパーセンテージに置き換えることができ、箱の積載強度に対するベントのインパクトを最小化するように設計された。ベント開口面積のパーセンテージは、典型的に、工業界で採用されている典型的なものよりも小さいが、紙の強度は箱１０の側面、上面および底面のスコアに関連する強度低下を補償するためにアップグレードする必要がない。すなわち、箱１０は、ベントが存在しない場合に比べ、ベントが導入された場合に許容レベルで機能する。
【００４８】
付加的な利益は、パレットに収容された箱内の温度分布の改善によって得られる。ひとつのパレット層パターンに対して標準的に８個の箱が、ひとつの層に対して９個の箱までアップグレード可能である。パレット層パターンあたり８個の箱の中央にひとつの箱を追加することは、パレット化の効率を増加させる。
【００４９】
箱１０は好適には、標準的スロット式コンテナ（ＲＣＳ）型の箱である。
【００５０】
本願発明の態様から離れることなく、多くの修正が可能であることは当業者の知るところである。
【００５１】
本願明細書を通じて、特に断らない限り、“備える”、“含む”および“有する”は、記載した整数またはステップ、または、整数またはステップの集合を除外するものと解釈してはならない。
【００５２】
本明細書中での従来技術の参照は、通常の知識の一部を当該従来技術が形成するという認識または示唆を与えるものでは決してない。
＜表１＞
箱構造
箱１０              従来技術１
上面／底面パネルベント面積（ｍｍ２）        ６，６６８            ２，８２８
長いパネルベント面積（ｍｍ２）              ２，６７０                −
短いパネルベント面積（ｍｍ２）              ２，８２８                −
箱全体のベント面積（ｍｍ２）              ２４，３２３            ５，６５６
上面／底面パネル面積（ｍｍ２）          １１７，８６０        １１７，８６０
長いパネル面積（ｍｍ２）                １０７，０７０        １０７，０７０
短いパネル面積（ｍｍ２）                  ７３，２７２          ７３，２７２
箱全体の表面積（ｍｍ２）                ５９６，４０４        ５９６，４０４
上面／底面ベント面積パーセンテージ（％）      ５．７％            ２．４％
長いパネルベント面積パーセンテージ（％）      ２．５％            ０．０％
短いパネルベント面積パーセンテージ（％）      ３．９％            ０．０％
箱全体のベント面積パーセンテージ（％）        ４．１％            ０．９％
冷却速度
新規デザイン          既存デザイン
静的半冷却時間（時）                      ３．４                ５．６
加圧空気半冷却時間（時）                  １．５          Ｎ／Ａ  側面ベント無し
積載強度
新規デザイン          既存デザイン
多湿箱圧縮強度
試験１（ｋＮ）                          １．４９              １．５８
箱の水分量（％）                      １７．２              １５．６
試験２（ｋＮ）                          １．４６              １．８１
箱の水分量（％）                      １４．４              １２．８
【符号の説明】
【００５３】
産品箱  １０
ベース  １２
側面部  １４ａ、１４ｂ、１４ｃ、１４ｄ
底面端部  １６
蓋  １８
側面部  ２０ａ、２０ｂ、２０ｃ、２０ｄ
上面端部  ２２
面ベント  ２４ａ、２４ｂ
横部  ２６ａ、２６ｂ
主スコアベント  ２８ａ、２８ｂ
横部  ３５ａ、３５ｂ
上面スコア  ３６ａ
底面スコア  ３６ｂ
結合フラップ  ３８、４０
副スコアベント  ４２ａ、４２ｂ
副スコアベント  ４６ａ、４６ｂ
フラップ  ４８ａ、４８ｂ、４８ｃ、４８ｄ
半円部  ５０ａ、５０ｂ、５２ａ、５２ｂ
フラップ  ５４ａ、５４ｂ、５４ｃ、５４ｄ
半円部  ５６ａ、５６ｂ、５８ａ、５８ｂ
【図１】
0006580489.tif 000002
【図２Ａ】
0006580489.tif 000003
【図２Ｂ】
0006580489.tif 000004
【図２Ｃ】
0006580489.tif 000005
【図３Ａ】
0006580489.tif 000006
【図３Ｂ】
0006580489.tif 000007
【図３Ｃ】
0006580489.tif 000008
【図４Ａ】
0006580489.tif 000009
【図４Ｂ】
0006580489.tif 000010
【図５Ａ】
0006580489.tif 000011
【図５Ｂ】
0006580489.tif 000012
【図５Ｃ】
0006580489.tif 000013
【図５Ｄ】
0006580489.tif 000014
【図５Ｅ】
0006580489.tif 000015
【図５Ｆ】
0006580489.tif 000016
【図５Ｇ】
0006580489.tif 000017
【図５Ｈ】
0006580489.tif 000018
【図６Ａ】
0006580489.tif 000019
【図６Ｂ】
0006580489.tif 000020
【図６Ｃ】
0006580489.tif 000021
【図６Ｄ】
0006580489.tif 000022
【図６Ｅ】
0006580489.tif 000023
【図６Ｆ】
0006580489.tif 000024
【図６Ｇ】
0006580489.tif 000025